(57)【要約】【課題】タービン室内の気流の流れが妨害された状況を効果的に改善可能な歯科用ハンドピースを提供する。【解決手段】タービン室１２は、頂部に開口部１２１を有し、底部に穿孔１２２を有し、内壁面に吸気孔１３および排気孔１４を有する。回転子２１は、タービン室内１２に装着されており、伝動軸２２および伝動軸２２の外周に配置された伝動ユニット２３を有する。伝動ユニット２３は環状に配列されている複数のタービンフィン２３１から構成されている。吸気孔１３からタービン室１２に流れ込んだ高圧気体は、伝動ユニット２３のタービンフィン２３１を押すことによって回転子２１を回転させる。また伝動ユニット２３は隣り合うタービンフィン２３１の間に開口部１２１に対向している欠け口２５が形成されている。伝動ユニット２３を押す高圧気体は欠け口２５より放出される。【選択図】  図１
0003182759.tif 000002
【実用新案登録請求の範囲】
【請求項１】
内部にタービン室が形成されているヘッド部と、
前記タービン室内に装着され、伝動軸および伝動ユニットを有し、当該伝動ユニットが前記伝動軸の外周に配置され環状に配列された複数のタービンフィンから構成され、隣り合う前記タービンフィンの間に前記タービン室の開口部に向かう欠け口を有する回転子と、
前記タービン室の開口部に被さり、前記タービン室に向かう端面と前記伝動ユニットとの間に円周に沿って形成された環状溝を有するキャップと、を備え、
前記タービン室は、頂部に開口部を有し、底部に穿孔を有し、内壁面に吸気孔および排気孔を有し、
前記吸気孔から前記タービン室に流れ込んだ高圧気体は、前記伝動ユニットの前記タービンフィンを押すことによって前記回転子を回転させ、前記欠け口より放出され、
前記環状溝は、前記欠け口に対向するように配置され、かつ前記欠け口から放出された高圧気体を集中させることを特徴とする歯科用ハンドピース。
【請求項２】
前記環状溝は、底面が陥没円弧状であることを特徴とする請求項１に記載の歯科用ハンドピース。
【請求項３】
前記環状溝は、前記キャップ上の前記タービン室に向かう端面に円周に沿って陥没し、環状に形成されていることを特徴とする請求項１に記載の歯科用ハンドピース。
【請求項４】
前記環状溝は、底面が陥没円弧状であることを特徴とする請求項３に記載の歯科用ハンドピース。
【請求項５】
前記伝動ユニットは、前記開口部から遠く離れる一端に環状に形成されているストッパーを有することを特徴とする請求項１に記載の歯科用ハンドピース。
【請求項６】
前記キャップは、前記環状溝から離れる方向に突起しており、周りに複数のスロットが形成されているボタンを有することを特徴とする請求項１に記載の歯科用ハンドピース。
【請求項７】
前記排気孔は、前記回転子の回転方向へ伸びる陥没部位を有し、
前記伝動ユニットの前記タービンフィンは、前記開口部に対向している辺縁端部が陥没して形成されている円弧状ガイド溝を有し、
前記排気孔の前記陥没部位と前記タービンフィンの前記ガイド溝とは、相互に向かい合い、同じ高さの水平位置を有することを特徴とする請求項１に記載の歯科用ハンドピース。
【考案の詳細な説明】
【技術分野】
【０００１】
本考案は、歯科用ハンドピースに関する。
【背景技術】
【０００２】
図６に示すように、従来の歯科用ハンドピースは、ヘッド部９１、タービン室９２、回転子９３およびキャップ９４を備える。タービン室９２は、ヘッド部９１内に形成され、開口部が上向きである。回転子９３は、自由に回転できるようにタービン室９２の軸方向に位置付けられ、かつ末端が外部に露出し、グラインダーまたはドリルなどの工具９３１に連結される。また回転子９３は中間部位に複数のタービンフィンから構成された伝動ユニット９３２を有する。高圧気体がタービン室９２に流れ込み、伝動ユニット９３２のタービンフィンを押すと、回転子９３が円周方向に沿って回転する。
【０００３】
従来の歯科用ハンドピースが使用される際、タービン室９２に流れ込んだ高圧気体は伝動ユニット９３２のタービンフィンを押した後、タービンフィンの間の欠け口によって上に放出される。キャップ９４はタービン室９２に対向する端面が高圧気体を誘導および集中できるように設計されておらず、平面状を呈するため、上に放出された高圧気体はキャップ９４の底部の端面に衝突し、図中の矢印に示すように乱流が発生する。よって、タービン室９２内の気流の流れを妨害することがよくあると同時に回転抵抗を増大させ、トルクを低下させてしまうという欠点がある。一方、従来の歯科用ハンドピースのタービン室９２内の気体はすぐ排出されるため、高圧気体をタービンフィンに二回衝突させることによって気流作用の効率を向上させる効果を達成することができない。
【考案の概要】
【考案が解決しようとする課題】
【０００４】
本考案は、タービン室内の気流の流れが妨害される状況を効果的に改善可能な歯科用ハンドピースを提供することを主な目的とする。
本考案は、タービンフィンに衝撃を二回与えることによって気流作用の効率を向上させ、切断（cutting）力を増大させる歯科用ハンドピースを提供することをもう一つの目的とする。
【課題を解決するための手段】
【０００５】
上述の目的を達成するために、本考案による歯科用ハンドピースは、ヘッド部、回転子およびキャップを備える。
ヘッド部は、内部にタービン室が形成されている。タービン室は、頂部に開口部を有し、底部に穿孔を有し、内壁面に吸気孔および排気孔を有する。
回転子は、タービン室内に装着されており、伝動軸および伝動軸の外周に配置された伝動ユニットを有する。伝動ユニットは環状に配列されている複数のタービンフィンから構成されている。吸気孔からタービン室に流れ込んだ高圧気体は、伝動ユニットのタービンフィンを押すことによって回転子を回転させる。また伝動ユニットは隣り合うタービンフィンの間に開口部に対向している欠け口が形成されている。伝動ユニットを押す高圧気体は欠け口より放出される。
キャップは、タービン室の開口部に被さり、タービン室に対向する端面と伝動ユニットとの間に円周に沿って形成されている環状溝を有する。環状溝は欠け口に対向するように配置され、欠け口から放出された高圧気体を集中させる。
【０００６】
環状溝は、キャップ上のタービン室に対向する端面に配置され、底面が陥没され円弧状を呈する。
伝動ユニットは、開口部から遠く離れる一端に環状に形成されたストッパーを有する。キャップはボタンを有する。このボタンは環状溝から離れる方向に突起し、周りに複数のスロットを有する。
排気孔は、回転子の回転方向へ伸びる陥没部位を有する。伝動ユニットのタービンフィンは開口部に向かう辺縁端部が陥没して形成した円弧状ガイド溝を有する。排気孔の陥没部位とタービンフィンのガイド溝とは相互に向かい合い、同じ高さの水平位置を有する。
本考案は、タービン室内の気流の流れが妨害される状況を改善することができ、タービンフィンに衝撃を二回与えることによって気流作用の効率を向上させることができ、切断（cutting）力を増大することができる。
【図面の簡単な説明】
【０００７】
【図１】本考案の一実施形態による歯科用ハンドピースを示す分解斜視図である。
【図２】本考案の一実施形態による歯科用ハンドピースを示す断面図である。
【図３】本考案の一実施形態による歯科用ハンドピースを示す断面図である。
【図４】本考案の一実施形態による歯科用ハンドピースを示す断面図である。
【図５】本考案の一実施形態による歯科用ハンドピースを示す断面図である。
【図６】従来の歯科用ハンドピースを示す断面図である。
【考案を実施するための形態】
【０００８】
以下、本考案の実施形態による歯科用ハンドピースを図面に基づいて説明する。
（一実施形態）
図１および図２に示すように、本考案の一実施形態による歯科用ハンドピースは、ヘッド部１１、回転子２１およびキャップ３１を備える。
【０００９】
ヘッド部１１は、内部にタービン室１２を有する。タービン室１２は、頂部に開口部１２１を有し、底部に穿孔１２２を有し、内壁面に吸気孔１３および排気孔１４を有する。またヘッド部１１は、握る所として後端部から外側へ伸びて形成されたグリップ１５を有する。
【００１０】
回転子（Rotor）２１は、タービン室１２の開口部１２１の軸方向に沿ってタービン室１２内に装着され、伝動軸２２および伝動ユニット２３を有する。伝動軸２２は、末端に配置された工具（Burr）２２１を有する。工具２２１は、穿孔１２２を貫通し、タービン室１２の外部に露出する各種類のグラインダーまたはドリルである。伝動ユニット２３は、回転子２１の周りに環状に配列された複数のタービンフィン２３１から構成され、かつ別々に上部および下部に嵌合されたベアリング２４を有する。また伝動ユニット２３は、さらに開口部１２１から遠く離れる底部に環状に形成されたストッパー２３２を有し、隣り合うタービンフィン２３１の間に開口部１２１に対向する欠け口２５が形成されている。吸気孔１３からタービン室１２に流れ込んだ高圧気体は、伝動ユニット２３のタービンフィン２３１を押すことによって回転子２１を回転させる。伝動ユニット２３のタービンフィン２３１は開口部１２１に向かう辺縁端部が陥没して形成した円弧状ガイド溝２３３を有する。排気孔１４は、回転子２１の回転方向へ伸びる陥没部位１４１を有する。排気孔１４の陥没部位１４１とタービンフィン２３１のガイド溝２３３とは相互に向かい合い、同じ高さの水平位置を有する。
【００１１】
キャップ３１（Head Cap）は、タービン室１２の開口部１２１に被さり、かつタービン室１２に対向する端面と伝動ユニット２３との間に円周に沿って形成された環状溝３２を有する。環状溝３２は欠け口２５に向かい合うように配置され、かつ欠け口２５から放出された高圧気体を集中させることができる。本実施形態において、環状溝３２はキャップ３１上のタービン室１２に向かう端面に円周に沿って陥没し、環状に形成される。環状溝３２の底面は陥没円弧状を呈する。キャップ３１はボタン３３を有する。ボタン３３はキャップ３１との間に挟まる弾性ユニット３４を有する。弾性ユニット３４は環状溝３２から離れる方向にボタン３３を突起させる。またボタン３３は周りに形成された複数のスロット３３１を有する。
【００１２】
上述した付属品から構成された本考案を使用する際、図３に示すように、高圧気体が吸気孔１３からタービン室１２に導入され、伝動ユニット２３のタービンフィン２３１を押す際、回転子２１は回転すると同時に工具２２１を連動させる。このとき伝動ユニット２３の底部はストッパー２３２から遮断されるため、伝動ユニット２３のタービンフィン２３１を押した後の高圧気体はタービンフィン２３１の周りの壁面に沿って隣り合うタービンフィン２３１の間の欠け口２５から上に勢いに放出される。続いて欠け口２５から放出された高圧気体は欠け口２５に向かい合うように配置された環状溝３２によって誘導および集中する。このとき環状溝３２の底面は円弧状を呈するため、気流は環状溝３２に沿って円滑に流動し、高圧気体の引き起こした乱流を効果的に抑制することができる。一方、キャップ３１に流れ込んだ一部分の高圧気体はボタン３３のスロット３３１から外部に排出される。従って、本考案は、高圧気体がタービン室１２に還流することを効果的に防止し、かつタービン室１２の気流の流れが妨害されないことを確保することができる。
【００１３】
図４および図５に示すように、環状溝３２に導入された高圧気体が回転子２１の回転方向に沿って後方へ流動する際、一部分の高圧気体は排気孔１４に流れ込み、そののち排出される。図中の破線矢印に示した別の一部分の高圧気体は排気孔１４の陥没円弧状の陥没部位１４１から誘導されたうえで陥没部位１４１とともに高さの同じ水平位置に据えられた誘導溝２３３によって伝動ユニット２３のタービンフィン２３１の間に再び導入されるため、タービンフィン２３１に衝撃を二回与える効果を達成することができる。従って、本考案はタービン室１２での気流の流れの効率を大幅に向上させ、歯科用ハンドピースの切断（cutting）力を増大させることができる。
以上、本考案は、上記実施形態になんら限定されるものではなく、考案の趣旨を逸脱しない範囲において種々の形態で実施可能である。
【符号の説明】
【００１４】
１１：ヘッド部、  
１２：タービン室、  
１２１：開口部、  
１２２：穿孔、  
１３：吸気孔、  
１４：排気孔、  
１４１：陥没部位、  
１５：グリップ、  
２１：回転子、  
２２：伝動軸、  
２２１：工具、  
２３：伝動ユニット、  
２３１：タービンフィン、  
２３２：ストッパー、  
２３３：ガイド溝、  
２４：ベアリング、  
２５：欠け口、  
３１：キャップ、  
３２：環状溝、  
３３：ボタン、  
３３１：スロット、  
３４：弾性ユニット。
【図１】
0003182759.tif 000003
【図２】
0003182759.tif 000004
【図３】
0003182759.tif 000005
【図４】
0003182759.tif 000006
【図５】
0003182759.tif 000007
【図６】
0003182759.tif 000008